(57)【要約】【課題】不正に基板ケースが開放されたことを容易に発見可能な遊技機の提供。【解決手段】遊技機１は、上側ケース部１８（第１のケース部）と下側ケース部１３（第２のケース部）とを有した基板ケース１０を備え、基板ケースは、両ケース部の一方を他方に対してスライドさせることにより開閉される。基板ケースには、上側ケース部の外側に上側延長部５４（第１の延長部）が設けられ、下側ケース部の外側に下側延長部２６（第２の延長部）が設けられる。両延長部で囲まれる部分には、切断部材４８と、切断部材を受入可能な受け部２９とが設けられる。受け部には封印シール４０が貼付される。基板ケースを開放するために両ケース部の一方を他方に対してスライドさせたとき、切断部材は、受け部に向かって移動し封印シールを切断するとともに受け部に係着され、基板ケースを開放したときに、切断部材は、第１の延長部から外れる。【選択図】図１０
2010148597.tif 000002
【特許請求の範囲】
【請求項１】
第１のケース部と前記第１のケース部に係着される第２のケース部とにより形成されるケース内部に基板が収納される基板ケースを備える遊技機であって、
前記基板ケースは、前記両ケース部の一方を他方に対してスライドさせることにより開閉され、
前記第１のケース部の外側に第１の延長部が設けられ、
前記第２のケース部の外側に第２の延長部が設けられ、
前記第１の延長部と前記第２の延長部とで囲まれる部分に、前記第１の延長部に外れ可能に連結される切断部材と、前記第２の延長部に設けられて前記切断部材を受入可能な受け部とが設けられ、
前記受け部に封印シールが貼付され、
前記基板ケースを開放するために前記両ケース部の一方を他方に対してスライドさせたときに、前記切断部材が、前記受け部に向かって移動し、前記封印シールを切断するとともに、前記受け部に係着され、前記基板ケースを開放したときに、前記切断部材が、前記第１の延長部から外れるように構成されていることを特徴とする遊技機。
【請求項２】
前記封印シールは、ＩＣタグを備えていることを特徴とする請求項１に記載の遊技機。
【請求項３】
前記切断部材は、前記封印シールを切断可能な刃部を２つ以上有していることを特徴とする請求項２に記載の遊技機。
【請求項４】
前記第１の延長部または前記第２の延長部の少なくとも一方における一部または全部が、外部から前記封印シールを視認可能な視認部とされていることを特徴とする請求項１乃至請求項３のいずれか一項に記載の遊技機。
【請求項５】
前記封印シールは、前記基板ケースの閉鎖状態において密閉される部分に配置されていることを特徴とする請求項１乃至請求項４のいずれか一項に記載の遊技機。
【発明の詳細な説明】
【技術分野】
【０００１】
本発明は、遊技機、特に、基板ケースに封印シールが貼付される遊技機に関する。
【背景技術】
【０００２】
基板ケースに封印シールが貼付される遊技機として、下記特許文献１に示すように、基板ケースが、分離可能な複数のケース部と、これら複数のケース部により形成される内部空間に収納される制御基板とを有し、これら複数のケース部間の境界を跨ぐようにして封印シールが貼付された遊技機が知られている。この封印シールは、ＩＣチップに格納されたＩＤ情報をＩＣタグリーダで読み取り可能なアンテナ付きＩＣチップ（ＩＣタグ）を有して構成されており、封印シールを剥がされると、封印シールが剥がされるときに生じる応力によってアンテナの一部が破壊されるように構成されていた（特許請求の範囲参照）。
【０００３】
このような遊技機では、基板ケースを不正に開放させようとした場合、アンテナが分断されるため、ＩＤ情報がアンテナから送信されなくなり、ＩＤ情報をスキャナーで読み取ることができなくなる。そのため、これを利用して、不正に基板ケースが開放されたことを発見することができた（段落［０１３８］参照）。
【特許文献１】特開２００６−３０５０３７号公報
【発明の開示】
【発明が解決しようとする課題】
【０００４】
しかしながら、上述の遊技機では、封印シールの略半分ずつが、ケース部間の境界を跨ぐようにして貼付されているため、例えば、カッタ等を利用して、ケース部間の境界で封印シールを半分ずつに分断すれば、基板ケースを開けることができた。そして、この場合、封印シールには一箇所の破断部分しか生じないため、基板ケースを開けた後に基板ケースを閉め直されると、封印シールが破断された痕跡を発見することが難しく、一見して不正に基板が開放されたことがわからなかった。
【０００５】
また、ＩＣチップのアンテナ部分が一箇所でしか破断されていない場合、アンテナの破断部分がうまくつながるように基板ケースを元の状態に閉め直すと、スキャナーでのＩＤ情報の読み取りが可能になり、不正に基板ケースが開放されたことが発見できないことがあった。
【０００６】
そこで、本発明は、基板ケースが開放されると、基板ケースが開放されたことの痕跡が残り、不正に基板ケースが開放されたことが容易に発見可能な遊技機の提供を目的とする。
【課題を解決するための手段】
【０００７】
本発明に係る遊技機は、第１のケース部と前記第１のケース部に係着される第２のケース部とにより形成されるケース内部に基板が収納される基板ケースを備える遊技機であって、前記基板ケースは、前記両ケース部の一方を他方に対してスライドさせることにより開閉され、前記第１のケース部の外側に第１の延長部が設けられ、前記第２のケース部の外側に第２の延長部が設けられ、前記第１の延長部と前記第２の延長部とで囲まれる部分に、前記第１の延長部に外れ可能に連結される切断部材と、前記第２の延長部に設けられて前記切断部材を受入可能な受け部とが設けられ、前記受け部に封印シールが貼付され、前記基板ケースを開放するために前記両ケース部の一方を他方に対してスライドさせたときに、前記切断部材が、前記受け部に向かって移動し、前記封印シールを切断するとともに、前記受け部に係着され、前記基板ケースを開放したときに、前記切断部材が、前記第１の延長部から外れるように構成されていることを特徴とする。
【０００８】
本発明に係る遊技機では、基板ケースを開放するために第１のケース部または第２のケース部のうちの一方を他方に対してスライドさせると、第１の延長部に連結された切断部材が、第２の延長部に配設された受け部へ向かって移動し、受け部に係着される。このとき、受け部には封印シールが貼付されているため、切断部材は、受け部に貼付されている封印シールを切断する。
【０００９】
さらに、ケース部をスライドさせた後、基板ケースを開放すると、切断部材は、受け部に係着されているため、第１の延長部から外れて受け部に残留する。
【００１０】
したがって、本発明の遊技機によれば、基板ケースを開放させると、切断された封印シールと、切断部材とが、受け部に残るため、受け部の状態を調べることにより、基板ケースが開放されたかどうかを容易に調べることができる。すなわち、本発明の遊技機では、基板ケースが開放されると、基板ケースが開放されたことの痕跡がわかりやすい形で残るため、基板ケースが開放されたことを容易に発見することができる。
【００１１】
また、本発明の遊技機では、前記封印シールがＩＣタグを備える構成とすることができる。
【００１２】
このような構成とすれば、基板ケースを開放するために第１のケース部または第２のケース部のうちの一方を他方に対してスライドさせると、切断部材が、受け部に貼付されている封印シールを切断するとともに、封印シールが備えるＩＣタグも併せて切断する。
【００１３】
よって、基板ケースが開放されると、ＩＣタグを備えた封印シールは切断され、切断部材は受け部に残留するため、切断されたＩＣタグ付き封印シールを、切断された部分がうまくつながるように元の状態に復元することは極めて困難となる。したがって、一度基板ケースが開放されると、ＩＣタグを確実に読み取り不可能にすることができ、これにより、基板ケースが開放されたことが確実に発見可能となる。
【００１４】
また、本発明の遊技機では、前記切断部材が前記封印シールを切断可能な刃部を２つ以上有する構成とすることができる。
【００１５】
このような構成とすれば、第１のケース部または第２のケース部のうちの一方を他方に対してスライドさせると、受け部に貼付されている封印シールは、切断部材により、２箇所以上の切断箇所で切断される。そのため、ＩＣタグを備えた封印シールでは、ＩＣタグも２箇所以上の切断箇所で切断されるため、ＩＣタグを再度読み取り可能に復元することは極めて困難となる。したがって、一度基板ケースが開放されると、ＩＣタグを確実に読み取り不可能にすることができ、これにより、基板ケースが開放されたことが確実に発見可能となる。
【００１６】
また、本発明の遊技機では、前記第１の延長部または前記第２の延長部の少なくとも一方における一部または全部を、外部から前記封印シールを視認可能な視認部として構成することができる。
【００１７】
このような構成とすれば、視認部により、基板ケースの外部から封印シールの状態を一見して把握することができる。したがって、基板ケースが開放されたことの痕跡が残っているかを一目で確認できるため、基板ケースが開放されたかどうかを容易に判断することができる。
【００１８】
また、本発明の遊技機では、前記封印シールを、前記基板ケースの閉鎖状態において密閉される部分に配置して構成することができる。
【００１９】
このような構成とすれば、基板ケースを開けたり破壊したりしない限り、封印シールに触れることができないため、封印シールが剥がされることを防止することができる。また、封印シールが配置されている部分に外部から埃が入り込むのを防止できるため、封印シールに埃が付着するのを防止することができる。
【発明を実施するための最良の形態】
【００２０】
以下、本発明の実施形態を図面に基づいて説明する。
【００２１】
１．実施形態
図１は、実施形態の遊技機１における遊技盤２の背面を示している。図１に示すように、実施形態の遊技機１は遊技盤２を備え、遊技盤２の背面には、盤裏カバー３が配設されている。盤裏カバー３の下部には、内部に主基板（遊技制御基板）４を収納した基板ケース１０が配置されている。主基板４は、大当たり判定を行う判定手段を有して、利益に関わる制御を行うもので、主基板４には、図示しない始動口に入賞した遊技球を検知する始動口スイッチ、大入賞口に入賞した遊技球を検知する大入賞口スイッチ、大入賞口を開口させる大入賞口ソレノイドなどが接続される。主基板４の上方には、図示しない副基板が配置され、盤裏カバー３の蓋部３ａで覆われている。なお、副基板は、演出制御基板に、画像制御基板及びランプ制御基板が接続されて構成されるもので、主に演出に関わる制御を行う。
【００２２】
基板ケース１０は、図２に示すように、内部に主基板４が収納されるケース本体部１１と、主基板４を収納したケース本体部１１を封印する封印部１２とを備えている。
【００２３】
ケース本体部１１は、略長方形状の下側ケース部１３と、下側ケース部１３を覆う上側ケース部１８とを備える。下側ケース部１３は、図３に示すように、主基板４が載置される底壁１４を備え、底壁１４の周縁からは、側壁１５が延設されている。側壁１５には、上側ケース部１８の係止部２１に対応する被係止部１６が形成されている。また、底壁１４の左前部には、後述する下側延長部２６が固着される固着孔１７が形成されている。なお、本明細書において基板ケース１０を説明する際には、図２及び図３に示すように、基板ケース１０の短手方向を前後方向とし、基板ケース１０の長手方向を左右方向とし、前後方向及び左右方向に直交する方向を上下方向とする。
【００２４】
上側ケース部１８は、図３に示すように、上壁１９と、上壁１９の周縁から延設される側壁２０とを有して構成され、側壁２０には、下側ケース部１３の被係止部１６に対応する係止部２１が形成されている。上側ケース部１８の左前部には、後述する上側延長部５４が固着される固着孔２２が形成されている。
【００２５】
封印部１２は、図２及び図３に示すように、下側ケース部１３に固着される下側延長部２６と、下側延長部２６に配設される受け部２９と、受け部２９に貼付される封印シール４０と、封印シール４０を切断する切断部材４８と、下側延長部２６を覆う上側延長部５４とを備えて構成される。
【００２６】
下側延長部２６は、本体部２７と、本体部２７から延設され、下側ケース部１３の固着孔１７に係止される爪部２８とを備える。本体部２７の上面左部には、後述する切断部材４８を受入可能な受け部２９が配設されている。受け部２９は、本体部２７の上面に配設される底壁３０と、ケース本体部１１側を開口させて、底壁３０の周縁から上方へ延設される平面視略コ字形状の側壁３２とを有して構成されている。側壁３２は、後側壁３３、左側壁３４、及び、前側壁３５からなり、後側壁３３及び前側壁３５には、後述する切断部材４８の係止用突部５２，５２に対応する係止孔３６，３６が形成されている。また、本体部２７の上面右部には、後述する切断部材４８を載置する座部３７が配設されている。なお、図５に示すように、本体部２７の上面から座部３７の上面までの高さ寸法Ｌ１は、本体部２７の上面から受け部２９の底壁３０の上面までの高さ寸法Ｌ２と略一致している。また、実施形態では、受け部２９及び座部３７は、本体部２７と一体に形成されている。
【００２７】
封印シール４０は、図４のＢに示すように、受け部２９の側壁３２の上面３２ａ、及び、側壁３２と底壁３０のケース本体部１１側の側面３２ｂ，３０ａに貼付される。封印シール４０は、図４のＡに示すように、シール本体４１にＩＣタグ４２を設けて構成されている。シール本体４１は、表面が「開封禁止」と印字された装飾面４１ａとされ、裏面が粘着面４１ｂとされている。シール本体４１には、図示しない多数のスリットや薄肉部が設けられており、小さい応力で破れるよう構成されている。
【００２８】
ＩＣタグ４２は、シール本体４１における粘着面４１ｂの中央付近に配置されている。ＩＣタグ４２は、識別情報が格納されたＩＣチップ４３と、ＩＣチップ４３から相互に逆方向に延びる長尺状のアンテナ部４４，４４とを備える。ＩＣチップ４３の識別情報は、アンテナ部４４，４４から発信可能とされ、ＩＣタグリーダにより受信して読み取ることができる。
【００２９】
封印シール４０は、図４のＢに示すように、受け部２９の形状に合わせて前方からみてＬ字状に折り曲げられ、周縁部分４０ａが、受け部２９の側壁３２の上面３２ａ、及び、側壁３２と底壁３０のケース本体部１１側の側面３２ｂ，３０ａにかかるように配置されて、受け部２９に貼付される。
【００３０】
下側延長部２６の座部３７には、図３及び図５に示すように、切断部材４８が載置される。切断部材４８は、略直方体形状とされ、図５に示すように、前後方向、左右方向、上下方向の各長さ寸法Ｌ３，Ｌ４，Ｌ５が、受け部２９により形成される空間Ｓの各長さ寸法Ｌ６，Ｌ７，Ｌ８と略同一に構成されており、受け部２９に収納可能とされている。
【００３１】
切断部材４８の上面４８ａには、上側延長部５４のピン部５９，５９が挿通される２つの孔部４９，４９が形成されている。切断部材４８の左側面（受け部２９側の側面）４８ｂにおける前後方向の両縁には、封印シール４０を切断可能な刃部５０，５０が、上下方向の全域に渡って形成されている。切断部材４８の前側面４８ｃ及び後側面４８ｄには、受け部２９の係止孔３６，３６と係合可能な係止用突部５２，５２が形成されている。
【００３２】
上側延長部５４は、図３に示すように、下側延長部２６を覆うもので、下側延長部２６に対向して配設される。上側延長部５４は、本体部５５と、本体部５５から延設され、上側ケース部１８の固着孔２２に係止される爪部５６とを備える。本体部５５は、上壁５７と、上壁５７の長手側から下方へ延設される側壁５８とを備える。上壁５７の下面には、切断部材４８の孔部４９，４９に挿通される２つのピン部５９，５９が配設されている。上壁５７の前後方向及び左右方向の各長さ寸法は、下側延長部２６の本体部５５の前後方向及び左右方向の各長さ寸法と略同一に形成されており、上側延長部５４がケース本体部１１に組み付けられた状態（図２の状態）では、上側延長部５４の側壁５８により受け部２９の係止孔３６が塞がれて、上側延長部５４の上壁５７と側壁５８、下側延長部２６、及び、切断部材４８により、略密閉された空間が形成され、この密閉された空間に封印シール４０が配置されることになる。なお、図２に示す状態を、基板ケース１０の閉鎖状態という。
【００３３】
なお、実施形態では、下側延長部２６及び上側延長部５４は、透明の合成樹脂材料から形成されており、基板ケース１０の外部から、受け部２９、封印シール４０、及び、切断部材４８の状態が視認可能とされている。すなわち、上側延長部５４及び下側延長部２６の全体が、外部から封印シール４０等の状態を視認可能な視認部６２（図２参照）として構成されている。
【００３４】
次に、基板ケース１０の組立て手順について、図６，図７に基づいて説明する。まず、図６に示すように、底壁１４に主基板４を載置した下側ケース部１３に対して、上側ケース部１８を係着させて、ケース本体部１１を組み立てる。
【００３５】
上側ケース部１８と下側ケース部１３とは、上側ケース部１８の係止部２１と、下側ケース部１３の被係止部１６とを利用して係着される。具体的には、図６のＡ，Ｂに示すように、上側ケース部１８の係止部２１を、下側ケース部１３における被係止部１６の開口部１６ａの位置に合わせて両ケース部１３，１８を嵌合させ、その後、図６のＢ，Ｃに示すように、上側ケース部１８を下側ケース部１３に対して右方向にスライドさせることにより、係止部２１を被係止部１６に係止させる。これにより、上側ケース部１８は、下側ケース部１３に対して、左方向にスライドさせない限り外れないように係着される（図６のＣ参照）。
【００３６】
次に、図７に示すように、封印部１２を、ケース本体部１１に取り付ける。まず、下側延長部２６に配設された受け部２９に、封印シール４０を貼付しておく。封印シール４０は、図４のＢに示すように、受け部２９の形状に合わせて前方からみてＬ字状に折り曲げ、周縁部分４０ａが、受け部２９の側壁３２の上面３２ａ、及び、側壁３２と底壁３０のケース本体部１１側の側面３２ｂ，３０ａにかかるように配置して、受け部２９に貼付する。
【００３７】
次に、図７のＡに示すように、封印シール４０が貼付された下側延長部２６を下側ケース部１３に固着する。具体的には、下側延長部２６の爪部２８を、下側ケース部１３の固着孔１７（図３参照）に対して下側から嵌合させて係止させることにより、下側延長部２６を下側ケース部１３に固着させる。
【００３８】
その後、切断部材４８を下側延長部２６に配設された座部３７に載置し、上側延長部５４を上側ケース部１８に固着して、基板ケース１０を完成させる（図７のＢ参照）。具体的には、上側延長部５４の爪部５６を、上側ケース部１８の固着孔２２に対して上側から嵌合させて係止する。このとき、併せて、上側延長部５４の２つのピン部５９，５９を切断部材４８の２つの孔部４９，４９に挿通させて、切断部材４８を上側延長部５４に連結させる。なお、ピン部５９の直径は、孔部４９の直径に対して小径とされており、ピン部５９，５９は、切断部材４８の孔部４９，４９に対して上方に抜けることができるように挿通される。このようにして組み立てられた基板ケース１０は、図１に示すように、盤裏カバー３に取り付けられる。
【００３９】
次に、このように構成された基板ケース１０の開放について図８〜図１１に基づいて説明する。図８のＡ，Ｂに示すように、基板ケース１０を開放するために、上側ケース部１８を下側ケース部１３に対して左方向に移動させ、上側ケース部１８の係止部２１と下側ケース部１３の被係止部１６との係合を解除すると、上側延長部５４に連結されている切断部材４８も、上側ケース部１８及び上側延長部５４とともに、左方向に移動する。
【００４０】
このとき、図９，図１０に示すように、切断部材４８が移動する先には、受け部２９及び受け部２９に貼付された封印シール４０が配設されているため、切断部材４８は、封印シール４０を切断しながら受け部２９に進入する。
【００４１】
すなわち、上側ケース部１８を下側ケース部１３に対して図８のＡに示す位置から図８のＢに示す位置までスライドさせると、切断部材４８は、図９のＡ，Ｂ及び図１０のＡ，Ｂに示すように、下側延長部２６の座部３７から受け部２９に向かってスライドし、受け部２９側の側面４８ｂ（図９のＡ参照）に形成された刃部５０で、封印シール４０の前後方向の両縁付近を切断しながら、受け部２９に進入する（図１０のＢ参照）。
【００４２】
そして、切断部材４８は、図９のＢに示すように、切断した封印シール４０を受け部２９の左側壁３４へ向かって押し込みながら、受け部２９内を移動していき、上側ケース部１８が図８のＢに示す位置まで移動した際には、図１０のＣに示すように、切断部材４８の係止用突部５２，５２が受け部２９の係止孔３６，３６と係合して、切断部材４８は、受け部２９に係着される。
【００４３】
ここで、図１０に示すように、切断部材４８の刃部５０，５０が通る軌道には、ＩＣタグ４２のアンテナ部４４，４４が配置されているため、切断部材４８が移動し受け部２９に係着されるまでに、各アンテナ部４４，４４は、切断部材４８の２つの刃部５０，５０によりそれぞれ切断される（図１０のＣ参照）。
【００４４】
また、封印シール４０は、切断部材４８により切断され、受け部２９の左側壁３４へ向かって押し込まれるため、図９のＣ及び図１０のＣに示すように、受け部２９に貼付されている周縁部分４０ａを残して、しわになった状態で左側壁３４へ付着する。なお、封印シール４０が備えるＩＣタグ４２も、シール本体４１とともに切断部材４８によりつぶされるようにして押し込まれて、受け部２９に付着する。
【００４５】
さらに、上側ケース部１８を、図８のＢに示す位置まで移動させた後、図８のＣに示すように下側ケース部１３から分離させると、切断部材４８が受け部２９に係着されていることから、上側延長部５４のピン部５９，５９が切断部材４８の孔部４９，４９から抜けて、上側延長部５４と切断部材４８との連結が解除され、切断部材４８は、受け部２９に係着されたまま残留する。すなわち、上側ケース部１８及び上側延長部５４が下側ケース部１３等から分離され、切断されてしわになった封印シール４０と、上側延長部５４から外れた切断部材４８とが、基板ケース１０が開放された痕跡として、受け部２９に残ることになる（図１０のＣ参照）。
【００４６】
さらに加えて、このように一度開放された基板ケース１０を再び閉塞しようとして、分離させた上側ケース部１８及び上側延長部５４を下側ケース部１３及び下側延長部２６に嵌め直すと、上側延長部５４のピン部５９，５９が切断部材４８の孔部４９，４９に再度挿通されて、上側延長部５４と切断部材４８とが連結されるが、切断部材４８は受け部２９に係着されて外れることができないため、上側ケース部１８及び上側延長部５４を右方向へスライドさせることができない。
【００４７】
仮に、図１１のＡ，Ｂに示すように、上側延長部５４のピン部５９，５９を折るなどして、上側延長部５４と切断部材４８とが再び連結されないようにしてから、基板ケース１０を閉塞させたとしても、受け部２９には、受け部２９に係着されたままの切断部材４８と、切断されてしわになった封印シール４０とが、そのまま、基板ケース１０が開放されたことの痕跡として残ることになる（図１１のＢ及び図１０のＣ参照）。なお、この痕跡は、視認部６２（透明の合成樹脂材料で形成された上側延長部５４及び下側延長部２６）により外部から視認することができる。
【００４８】
以上説明したように、実施形態の遊技機１は、上側ケース部１８（第１のケース部）と上側ケース部１８（第１のケース部）に係着される下側ケース部１３（第２のケース部）とにより形成されるケース内部に主基板４（基板）が収納される基板ケース１０を備え、この基板ケース１０は、両ケース部１８，１３の一方を他方に対してスライドさせることにより開閉され、上側ケース部１８（第１のケース部）の外側に上側延長部５４（第１の延長部）が設けられ、下側ケース部１３（第２のケース部）の外側に下側延長部２６（第２の延長部）が設けられ、上側延長部５４（第１の延長部）と下側延長部２６（第２の延長部）とで囲まれる部分に、上側延長部５４（第１の延長部）に外れ可能に連結される切断部材４８と、下側延長部２６（第２の延長部）に設けられて切断部材４８を受入可能な受け部２９とが設けられ、受け部２９に封印シール４０が貼付され、基板ケース１０を開放するために両ケース部１８，１３の一方を他方に対してスライドさせたときに、切断部材４８が、受け部２９に向かって移動し、封印シール４０を切断するとともに、受け部２９に係着され、基板ケース１０を開放したときに、切断部材４８が、上側延長部５４（第１の延長部）から外れるように構成されている。
【００４９】
そのため、実施形態の遊技機１では、基板ケース１０を開放するために上側ケース部１８（第１のケース部）を下側ケース部１３（第２のケース部）に対してスライドさせると、上側延長部５４（第１の延長部）に連結された切断部材４８が、下側延長部２６（第２の延長部）に配設された受け部２９へ向かって移動し、受け部２９に係着される（図９，図１０参照）。このとき、切断部材４８は、受け部２９に貼付されている封印シール４０を切断する。
【００５０】
そして、切断部材４８が受け部２９に係着されるとき、切断部材４８は、切断された封印シール４０を受け部２９に対して押し付けて貼り付ける。すなわち、切断部材４８が受け部２９に係着されるときには、封印シール４０は、切断され、かつ、しわになった状態で、受け部２９に貼着される（図９のＣ，図１０のＣ参照）。
【００５１】
さらに、上側ケース部１８をスライドさせた後、上側ケース部１８（第１のケース部）と下側ケース部１３（第２のケース部）とを分離させると、切断部材４８は、受け部２９に係着されているため、上側延長部５４（第１の延長部）から外れて受け部２９に残留する（図８のＣ参照）。
【００５２】
したがって、実施形態の遊技機１によれば、基板ケース１０を開放させると、切断されてしわになった状態の封印シール４０と、切断部材４８とが、受け部２９に残るため、受け部２９の状態を調べることにより、基板ケース１０が開放されたかどうかを容易に調べることができる。すなわち、実施形態の遊技機１では、基板ケース１０が開放されると、基板ケース１０が開放されたことの痕跡がわかりやすい形で残るため、基板ケース１０が開放されたことを容易に発見することができる。
【００５３】
また、実施形態の遊技機１では、封印シール４０がＩＣタグ４２を備えている。そのため、基板ケース１０を開放するために上側ケース部１８（第１のケース部）を下側ケース部１３（第２のケース部）に対してスライドさせると、切断部材４８が、受け部２９に貼付されている封印シール４０を切断するとともに、封印シール４０が備えるＩＣタグ４２も併せて切断する（図１０のＣ参照）。そして、切断部材４８が受け部２９に係着されるとき、封印シール４０とともに、ＩＣタグ４２も併せて受け部２９に貼り付けられる。
【００５４】
よって、基板ケース１０が開放されると、ＩＣタグ４２を備えた封印シール４０は、切断されてしわになった状態で受け部２９に貼着され、切断部材４８は、受け部２９に残留した状態となるため、このような状態の受け部２９から切断部材４８を取り除いて、切断されたＩＣタグ４２付き封印シール４０を、切断された部分がうまくつながるように元の状態に復元することは、極めて困難となる。したがって、一度基板ケース１０が開放されると、ＩＣタグリーダを用いてＩＣタグ４２から識別情報を読み取ることが確実に不可能となるため、ＩＣタグが読み取り可能かどうかを調べることにより、基板ケース１０が開放されたかどうかを確実に発見することができる。
【００５５】
また、実施形態の遊技機１では、切断部材４８が、封印シール４０を切断可能な２つの刃部５０，５０を有している。そのため、上側ケース部１８（第１のケース部）を下側ケース部１３（第２のケース部）に対してスライドさせると、受け部２９に貼付されている封印シール４０は、切断部材４８により、２箇所の切断箇所で切断される（図１０のＣ参照）。このとき、封印シール４０が備えるＩＣタグ４２も、２箇所の切断箇所で切断されるため、ＩＣタグ４２を再度読み取り可能に復元することは極めて困難となる。したがって、一度基板ケース１０が開放されると、ＩＣタグリーダを用いてＩＣタグ４２から識別情報を読み取ることが確実に不可能となるため、ＩＣタグが読み取り可能かどうかを調べることにより、基板ケース１０が開放されたかどうかを確実に発見することができる。
【００５６】
また、実施形態の遊技機１では、上側延長部５４（第１の延長部）及び下側延長部２６（第２の延長部）の全部が、外部から封印シール４０を視認可能な視認部６２（図２及び図１１のＢ参照）として構成されている。
【００５７】
そのため、視認部６２により、基板ケース１０の外部から封印シール４０の状態を一見して把握することができる。したがって、基板ケース１０が開放されたことの痕跡が残っているかを一目で確認できるため、基板ケース１０が開放されたかどうかを容易に判断することができる。
【００５８】
また、実施形態の遊技機１では、基板ケース１０の閉鎖状態（図２の状態）において、上側延長部５４、下側延長部２６、及び、切断部材４８により形成される略密閉された空間に、封印シール４０が配置されている。特に、基板ケース１０の閉鎖状態では、受け部２９の係止孔３６が上側延長部５４の側壁５８により塞がれるため、封印シール４０の粘着面４０ｂ側が外部に曝されない。そのため、封印シール４０の粘着面４１ｂに外部からの埃が付着する虞れがないため、封印シール４０が受け部２９から剥がれ易くなるのを防止することができる。
【００５９】
２．変更例
以上、本発明の実施形態について説明したが、本発明の実施にあたっては、上記実施形態に限定されるものではなく、種々の構成を採り得る。なお、変更例において、上述した実施形態と同様の構成については、上述した実施形態と同様の符号を付して説明を省略する。
【００６０】
例えば、実施形態では、上側延長部５４の上壁５７と、上壁５７の長手側から下方へ延設される側壁５８、下側延長部２６、及び、切断部材４８により、略密閉された空間を形成して、この密閉された空間に封印シール４０配置する構成としたが、図１２に示すように、上側延長部７０が、上壁７１と、上壁７１の周縁から下方へ延設される側壁７２とを備え、側壁７２が、前側壁７３，後側壁７４，左側壁７５，及び、右側壁７６からなり、これら前側壁７３，後側壁７４，左側壁７５，及び、右側壁７６が、それぞれ、上側延長部７０を下側延長部２６に被せた状態で、下側延長部２６の本体部２７の上面に接する構成とすれば、基板ケースの閉鎖状態において、上側延長部７０の上壁７１と側壁７２、及び、下側延長部２６の本体部２７により、密閉された空間を形成することができ、この密閉された空間に、受け部７８、封印シール４０、切断部材４８を配置することができる。
【００６１】
このような構成とすれば、基板ケース１０を開けたり破壊したりしない限り、封印シール４０に触れることができないため、封印シール４０が剥がされることを防止することができる。また、封印シール４０が配置されている部分に外部から埃が入り込むのを防止できるため、封印シール４０の粘着面４１ｂに埃が付着するのを防止することができる。
【００６２】
なお、この場合、上側延長部７０が下側延長部２６に対してスライド可能となるように、下側延長部２６に切断部材４８を載置する座部３７を設けず、かつ、受け部７４を底壁のない平面視略コ字形状の側壁７９のみにより構成する。
【００６３】
また、実施形態では、切断部材４８は２つの刃部５０，５０を有する構成としたが、図１３に示すように、切断部材８０が１つの刃部８１を有する構成としてもよい。具体的には、図１３に示すように、切断部材８０の左側面（受け部８４側の側面）８０ａを、前後方向の中央部が受け部８４側に突出した平面視略くの字形状とし、この左側面（受け部８４側の側面）８０ａの前後方向の中央部に、上下にわたって封印シール４０を切断可能な刃部８１を形成する。
【００６４】
この場合、受け部８４の左側壁８６を、切断部材８０の左側面８０ａの形状に合わせて平面視略くの字形状に切り欠いて形成して、切断部材８０が受け部８４に係着されたときに、切断された封印シール４０が、切断部材８０に押されて受け部８４の側壁８５に貼付されるように構成する（図１３のＣ参照）。
【００６５】
また、この場合、図１３のＡ，Ｂに示すように、切断部材８０が移動する際に、刃部８１が封印シール４０の備えるＩＣタグ４２のＩＣチップ４３部分を通るように、封印シール４０と切断部材８０とを位置決めして配置すれば、基板ケース１０を開放するときに、切断部材８０が、封印シール４０を切断するとともに、ＩＣチップ４３を破損させながらＩＣタグ４２を切断することができる。よって、このように構成すれば、一度基板ケース１０が開放されると、ＩＣタグリーダを用いてＩＣタグ４２から識別情報を読み取ることが確実に不可能となるため、ＩＣタグが読み取り可能かどうかを調べることにより、基板ケース１０が開放されたかどうかを確実に発見することができる。
【００６６】
なお、この切断部材８０は、前側面８０ｂ及び後側面８０ｃに係止用凸部８２が形成されており、この係止用凸部８２が受け部８４の前側壁８７及び後側壁８８の内面側に形成された係止用凹部８９と嵌合することにより、受け部８４に係着可能とされている（図１３のＣ参照）。
【００６７】
また、実施形態では、上側延長部５４及び下側延長部２６を透明の合成樹脂材料で形成することにより、上側延長部５４及び下側延長部２６の全部を、外部から封印シール４０を視認可能な視認部６２として構成したが、上側延長部５４または下側延長部２６を透明な樹脂材料で形成しなくとも、例えば、上側延長部５４に、内部を視認可能な窓部を設けるなどして、上側延長部５４または下側延長部２６の少なくとも一方における一部を、視認部６２として構成してもよい。
【００６８】
また、実施形態では、切断部材４８に係止用突部５２を設けて、係止用突部５２，５２が受け部２９の係止孔３６，３６に係止されることにより切断部材４８が受け部２９に係着される構成としたが、係止用突部５２，５２や係止孔３６，３６を設けず、切断部材を受け入れる受け領域が切断部材の大きさに対して小さな受け部を用いて、基板ケース１０を開放させると、切断部材が受け部を弾性変形させながら受け部内に進入し、受け部の復元力により受け部内に係着されるよう構成してもよい。
【００６９】
なお、本発明にいう遊技機には、パチンコ遊技機のほかスロットマシンなどの他の種類の遊技機も含むものとする。
【図面の簡単な説明】
【００７０】
【図１】本発明の実施形態の遊技機を示す図であって、遊技盤の背面図である。
【図２】本発明の実施形態の遊技機が備える基板ケースの斜視図である。
【図３】本発明の実施形態の遊技機が備える基板ケースの分解斜視図である。
【図４】基板ケースに貼付される封印シールを示す図である。
【図５】基板ケースに取り付けられる下側延長部、受け部、切断部材を示す要部斜視図である。
【図６】基板ケースの組立て手を示す図である。
【図７】基板ケースの組立て手順（図６の続き）を示す図である。
【図８】基板ケースを開放する動作を示す図である。
【図９】図１図示ＩＸ−ＩＸ断面図であり、基板ケースが開放され、切断部材が封印シールを切断する動作を示す断面図である。
【図１０】基板ケースが開放され、切断部材が封印シールを切断する動作を示す要部斜視図である。
【図１１】開放された後、再び閉塞された基板ケースの状態を示す要部拡大図である。
【図１２】本発明に係る遊技機の変更例を示す図である。
【図１３】本発明に係る遊技機他の変更例を示す図である。
【符号の説明】
【００７１】
１      遊技機
１０    基板ケース
１３    下側ケース部（第２のケース部）
１８    上側ケース部（第１のケース部）
２６    下側延長部（第２の延長部）
２９    受け部
４０    封印シール
４２    ＩＣタグ
４８    切断部材
５０    刃部
５４    上側延長部（第１の延長部）
６２    視認部
【図１】
2010148597.tif 000003
【図２】
2010148597.tif 000004
【図３】
2010148597.tif 000005
【図４】
2010148597.tif 000006
【図５】
2010148597.tif 000007
【図６】
2010148597.tif 000008
【図７】
2010148597.tif 000009
【図８】
2010148597.tif 000010
【図９】
2010148597.tif 000011
【図１０】
2010148597.tif 000012
【図１１】
2010148597.tif 000013
【図１２】
2010148597.tif 000014
【図１３】
2010148597.tif 000015